(57)【要約】      （修正有）【課題】患者に十分な酸素を受けさせ、吸痰管を洗浄する過程において、不快感を生じることを回避する、吸痰のための不可逆弁を有する回転スイッチ、及び、吸痰セットを提供する。【解決手段】回転スイッチ２０、及び、吸痰セット１は、回転蓋２１、中空筒柱２２及び不可逆弁２３を含み、中空筒柱は、回転蓋中に貫通接続し、中空筒柱が筒壁及び連通外部の収容空間を有し、筒壁に吸痰管２を貫通設置させることができる一対の吸痰孔を設け、吸痰管は、吸痰孔を経由し、収容空間に連通し、不可逆弁が収容空間中に設置され、外部の空気が不可逆弁を介し、吸痰孔の間に流入する。回転スイッチにより外部空気を制御し、吸痰管に進入させる。【選択図】図４
0003178110.tif 000002
【実用新案登録請求の範囲】
【請求項１】
吸痰セットの接続管本体の制御弁コネクタに設置し、吸痰管の洗浄を制御することに用いる不可逆弁を有する回転スイッチであって、該回転スイッチは、
回転蓋と、
中空筒柱であって、該回転蓋中に貫通接続し、該中空筒柱は、筒壁及び連通外部の収容空間を有し、該筒壁に前記吸痰管を貫通設置させることができる一対の吸痰孔を設け、
前記吸痰管は、該対吸痰孔を経由し、該収容空間に連通する中空筒柱と、
不可逆弁であって、該収容空間中に設置され、外部空気が該不可逆弁を介して該対吸痰孔の間に流入する不可逆弁と、
を含む不可逆弁を有する回転スイッチ。
【請求項２】
前記中空筒柱は、洗浄液出口を有し、該洗浄液出口は、該筒壁に設けられ且つ該対吸痰孔の間に位置する請求項１に記載の不可逆弁を有する回転スイッチ。
【請求項３】
前記接続管本体は、洗浄コネクタを有し、該回転蓋は、前記制御弁コネクタの外側に被せ合わせ、該中空筒柱は、前記制御弁コネクタに貫通設置され、且つ前記制御弁コネクタの壁面に沿って該接続管本体内に挿入され、前記洗浄コネクタの一側辺に定位する請求項１に記載の不可逆弁を有する回転スイッチ。
【請求項４】
前記中空筒柱の一端口は、前記洗浄コネクタと連通する請求項３に記載の不可逆弁を有する回転スイッチ。
【請求項５】
前記不可逆弁は、該収容空間に対応して設置する定位筒、該定位筒上に結合するバネ及びブロック片を含み、該定位筒が該収容空間中に設置され、且つ該定位筒が該吸痰孔に向く内側端口と、外部に連通する外側端口と、を有し、該ブロック片が該バネの押圧を受けて該外側端口を密閉する請求項１に記載の不可逆弁を有する回転スイッチ。
【請求項６】
前記定位筒は、該外側端口の内壁面に凸縁を成型し、該ブロック片は、該凸縁を選択的に弾性係止する請求項５に記載の不可逆弁を有する回転スイッチ。
【請求項７】
前記ブロック片の断面は、Ｕ形を呈する請求項５又は請求項６に記載の不可逆弁を有する回転スイッチ。
【請求項８】
更に、フィルタを含み、該フィルタは、該定位筒上に固定され、該外側端口を覆う請求項５に記載の不可逆弁を有する回転スイッチ。
【請求項９】
更に、外ブロック片を含み、該外ブロック片は、該中空筒柱の外部に連通する端口上に設置される請求項８に記載の不可逆弁を有する回転スイッチ。
【請求項１０】
前記外ブロック片は、複数の定位溝及び少なくとも１つの吸気孔を設け、該外ブロック片は、該定位溝を介して該中空筒柱の端口上に定位され、外部空気が該吸気孔及び該フィルタを介して該収容空間中に進入し、該ブロック片を押圧し、該外側端口から離す請求項８に記載の不可逆弁を有する回転スイッチ。
【請求項１１】
前記定位筒は、該外側端口の内壁面に凸縁を成型し、該ブロック片は、選択的に該凸縁に係止する請求項１に記載の不可逆弁を有する回転スイッチ。
【請求項１２】
吸痰管を挿入接続することに用いる吸痰セットであり、該吸痰セットは、
連通空間及び該連通空間を介して相互に連通する複数のコネクタを含み、該コネクタが前記吸痰管を貫通接続することに用いる吸痰コネクタと、人体気管に接続すること用いる気管コネクタと、酸素供給装置に接続することに用いる呼吸コネクタと、該呼吸コネクタ及び該吸痰コネクタの間に相対設置する洗浄コネクタと、制御弁コネクタと、を含む接続管本体と、
回転スイッチであって、該制御弁コネクタ上に設置され、該回転スイッチが回転蓋と、該回転蓋中に貫通接続する中空筒柱と、不可逆弁と、を含み、該中空筒柱は、筒壁及び外部に連通する収容空間を有し、該筒壁が前記吸痰管を貫通設置させることができる一対の吸痰孔を設け、
前記吸痰管は、該対吸痰孔を経由して該収容空間を連通氏、該不可逆弁が該収容空間中に設置され、外部空気が該不可逆弁を介して該対吸痰孔の間に流入する回転スイッチと、
を含む吸痰セット。
【請求項１３】
更に、痰削ぎ片を含み、該痰削ぎ片は、該中空筒柱内の該対の吸痰孔の間に設置され、且つ該ブロック片は、該対吸痰孔の位置に対応し、貫通孔を設ける請求項１２に記載の吸痰セット。
【請求項１４】
前記中空筒柱は、洗浄液出口を有し、該洗浄液出口は、該筒壁に設けられ且つ該対吸痰孔の間に位置する請求項１２に記載の吸痰セット。
【請求項１５】
前記回転蓋は、該制御弁コネクタの外側に被せ合わせ、該中空筒柱は、該制御弁コネクタを貫通設置し、且つ該制御弁コネクタの壁面に沿って該接続管本体内に挿入し、該洗浄コネクタの一側辺に定位する請求項１２に記載の吸痰セット。
【請求項１６】
前記中空筒柱の一端口が該洗浄コネクタと連通する請求項１５に記載の吸痰セット。
【請求項１７】
前記不可逆弁は、該収容空間に対応して設置される定位筒、該定位筒上に結合するバネ及びブロック片を結合し、該定位筒が該収容空間中に貫通設置され、且つ該定位筒が該吸痰孔に向く内側端口及び外部に連通する外側端口を有し、該ブロック片が該バネの押圧を受けて該外側端口を密閉する請求項１２に記載の吸痰セット。
【請求項１８】
前記定位筒は、該外側端口の内壁面に凸縁を成型し、該ブロック片は、該凸縁上に選択的に弾性係止する請求項１７に記載の吸痰セット。
【請求項１９】
前記ブロック片の断面は、Ｕ形を呈する請求項１７又は請求項１８に記載の吸痰セット。
【請求項２０】
更に、フィルタを含み、該フィルタは、該ブロック片外側に位置し、該外側端口を覆う請求項１７に記載の吸痰セット。
【請求項２１】
更に、外ブロック片を含み、該外ブロック片は、該中空筒柱の外部に連通する端口上に設置される請求項２０に記載の吸痰セット。
【請求項２２】
前記外ブロック片は、複数の定位溝及び少なくとも１つの吸気孔を設け、該外ブロック片は、該定位溝を介して該中空筒柱の端口上に定位され、外部空気が該吸気孔及び該フィルタを介して該収容空間中に進入し、該ブロック片を押圧し、該外側端口から離す請求項２１に記載の吸痰セット。
【考案の詳細な説明】
【技術分野】
【０００１】
本考案は、吸痰装置の不可逆弁を具える回転スイッチ及び該スイッチを含む吸痰セットに関し、特に、回転スイッチを有する密閉式吸痰セットに関する。
【背景技術】
【０００２】
医療の過程において、呼吸器及び気管切断患者の吸痰の使用について、概ね吸痰装置により病人に対し、吸痰及び酸素伝送を行う。現在の吸痰装置は、接続管本体、該接続管本体に接続する負圧発生器及び酸素供給装置を含み、該接続管本体は、患者の気管に接続する気管コネクタ、酸素供給装置に接続する酸素供給コネクタ、吸痰管を接続する吸痰コネクタ、及び洗浄装置を接続する洗浄コネクタを含む。
【０００３】
上記吸痰装置の実際の使用時、酸素は、酸素供給装置から酸素供給コネクタに伝送し、気管コネクタを経て、患者体内に入力し、患者の呼吸に必要な酸素の供給を持続する。また一方で、患者が吸痰を必要な時、メディカルケアスタッフは、吸痰管を吸痰コネクタに挿入し、気管コネクタを有価させ、負圧発生器を利用し、負圧を発生し、患者の口鼻内の痰液を吸痰管内に吸引する。吸痰が完成後、メディカルケアスタッフは、洗浄装置を洗浄コネクタ内に挿入し、洗浄装置中の洗浄液を接続管本体内に流入させ、吸痰装置内の残余痰液を洗浄する。
【０００４】
しかしながら、従来の吸痰装置は、吸痰装置を洗浄する過程において、負圧発生器が負圧を発生する作用において、一部の酸素が負圧の影響を受けて洗浄コネクタの方向へ流動し、患者が十分な酸素を受けることができず、患者が吸痰装置を洗浄する過程において、経常的不快感を招く。
【０００５】
これに鑑みて、本考案者は、上記目的を達成する為、研究に専念し、学理の運用を合わせ、ようやく設計が合理的であり且つ上記欠陥を改善する本考案を提出する。
【先行技術文献】
【特許文献】
【０００６】
【特許文献１】実用新案登録第３１７３２７５号公報
【考案の概要】
【考案が解決しようとする課題】
【０００７】
本考案の目的は、不可逆弁を具える回転スイッチを提供することにあり、その回転スイッチは、不可逆弁を有し、外部の空気が回転スイッチから接続管本体へ進入するよう制御し、接続管本体内の気体の流出を阻止する。
【０００８】
本考案のもう１つの目的は、不可逆弁を有するスイッチを提供することにあり、それは、外部空気を接続管本体に進入させ、吸痰管を洗浄する過程において、酸素供給装置における酸素流動方向に影響を及ぼすことを防止し、患者に十分な酸素を受信させ、吸痰管を洗浄する過程において、不快感を発生することを回避する。
【課題を解決するための手段】
【０００９】
上記の目的を達成する為、本考案の不可逆弁を有する回転スイッチは、吸痰セットの接続管本体の制御弁コネクタに設置し、吸痰管の洗浄を制御することに用い、回転スイッチは、回転蓋、中空筒柱及び不可逆弁を含み、中空筒柱は、回転蓋中に貫通接続し、中空筒柱が筒壁及び連通外部の収容空間を有し、筒壁に吸痰管を貫通設置させることができる一対の吸痰孔を設け、吸痰管は、該一対の吸痰孔を経由し、収容空間に連通し、不可逆弁が収容空間中に設置され、外部の空気が不可逆弁を介し、吸痰孔の間に流入する。
【００１０】
上記の目的を達成する為、本考案の吸痰セットは、吸痰管を挿入接続することに用い、吸痰セットは、接続管本体及び回転スイッチを含み、接続管本体は、連通空間及び連通空間を介して相互に連通する複数のコネクタを含み、該コネクタは、吸痰管を貫通接続することに用いる呼吸コネクタ、人体気管に接続することに用いる気管コネクタ、酸素供給装置を接続することに用いる呼吸コネクタと、呼吸コネクタ及び吸痰コネクタの間に相対設置する洗浄コネクタ及び制御弁コネクタを含み、回転スイッチが制御弁コネクタ上に設置され、回転スイッチが回転蓋、回転蓋中に貫通接続される中空筒柱、及び不可逆弁を含み、中空筒柱は、筒壁及び外部に連通する収容空間を有し、筒壁は、吸痰管に貫通設置させることができる一対の吸痰孔を設け、吸痰管は、吸痰孔を経由して収容空間を連通し、不可逆弁は、収容空間中に設置され、外部空気が不可逆弁を介して吸痰孔の間に流入する。
【考案の効果】
【００１１】
従来に比較し、本考案の吸痰セットは、回転スイッチを設置し、回転スイッチを閉鎖状態まで回転させる時、吸痰管の洗浄過程を行うことができ、負圧発生器が発生する負圧が吸痰管を洗浄する過程において、該酸素供給装置が出力する酸素流動方向に影響を及ぼすことを回避する為、本考案は、回転スイッチ注意に不可逆弁を設置し、外部空気を、不可逆弁を経由して流入させ、回転スイッチ内の圧力を平衡させ、患者に十分な酸素を受信させ、吸痰管を洗浄する過程において、不快感を発生させることを回避し、本考案の実用性を増加することができる。
【図面の簡単な説明】
【００１２】
【図１】本考案の接続管本体及び回転スイッチの立体分解説明図である。
【図２】本考案の接続管本体及び回転スイッチの組み合わせ時の断面説明図である。
【図３】本考案の吸痰セットの使用説明図である。
【図４】本考案の吸痰セットの洗浄の説明図である。
【考案を実施するための形態】
【００１３】
本考案の詳細な説明及び技術内容に関し、図面を沿って以下に説明を行うが、図面は、参考及び説明用に提供するだけであり、本考案に制限を加えることに用いるのではない。
【００１４】
図１を参照して説明するが、それは、本考案の吸痰セットの立体外観説明図である。本考案が提供する吸痰セット１は、接続管本体１０及び該接続管本体１０に接続する回転スイッチ２０を含む。
【００１５】
続けて、図２を参照して説明するが、それは、本考案の接続管本体及び回転スイッチの組み合わせ時の断面接続図である。該接続管本体１０は、連通空間１００及び該連通空間１００を介して相互に連通する複数のコネクタ１１を含み、該コネクタ１１は、吸痰コネクタ１１１、気管コネクタ１１２、呼吸コネクタ１１３、該呼吸コネクタ１１３及び該吸痰コネクタ１１１の間に相対設置する洗浄コネクタ１１４及び制御弁コネクタ１１５を含む。
【００１６】
該回転スイッチ２０が該制御弁コネクタ１１５上に設置される。該回転スイッチ２０は、回転蓋２１と、該回転蓋２１中に貫通接続する中空筒柱２２と、不可逆弁２３を含む。該中空筒柱２２は、筒壁２２１及び外部に連通する収容空間２００を有し、該筒壁２２１は、一対の吸痰孔２２２，２２３を設け、該不可逆弁２３が該収容空間２００中に設置される。
【００１７】
該回転スイッチ２０は、該制御弁コネクタ１１５上に設置する時、該回転蓋２１は、該制御弁コネクタ１１５の外側に被せ合わせ、且つ該制御弁コネクタ１１５の壁面に沿って該接続管本体１０内に挿入され、該洗浄コネクタ１１４の一側辺に定位し、また、該中空筒柱２２の一端口２２０は、該洗浄コネクタ１１４と連通する。また、該筒壁２２１は、該連通空間１００の位置に対応し、一対の吸痰孔２２２，２２３を設け、また、該中空筒柱２２は、洗浄液出口２２４を有し、該洗浄液出口２２４は、該筒壁２２１に設けられ且つ該吸痰孔２２２，２２３の間に位置する。
【００１８】
本実施例において、該吸痰セット１は、更に痰削ぎ片３０を含む。該痰削ぎ片３０は、該吸痰孔２２２，２２３の間に設置され、且つ該痰削ぎ片３０は、該対吸痰孔２２２，２２３の位置に対応して貫通孔３００を設ける。実際の実施時、該痰削ぎ片３０は、該中空筒柱２２の筒壁２２１上に嵌合固定できる。
【００１９】
更に、該不可逆弁２３は、外部空気を該回転スイッチ２０から該接続管本体１０中に進入するよう制御することに用い、該接続管本体１０内の気体流出を阻止し、該不可逆弁２３の設置形態が制限しない。
【００２０】
本実施例において、該不可逆弁２３は、該収容空間２００を対応して設置する定位筒２３１、該定位筒２３１上に結合するバネ２３２及びブロック片２３３を結合する。該定位筒２３１が該収容空間２００中に貫通設置され、且つ該定位筒２３１が該一対の吸痰孔２２２，２２３に向く内側端口２３１１及び外部に連通する外側端口２３１２を有し、該ブロック片２３３は、該バネ２３２の押圧を受けて該外側端口２３１２を密封する。該定位筒２３１は、該外側端口２３１２の内壁面２３１０が凸縁２３１３を成型し、該ブロック片２３３は、該凸縁２３１３上に選択的に弾性的に係止する。また、該ブロック片２３３の断面は、Ｕ形を呈する。
【００２１】
好適には、該不可逆弁２３は、更に、フィルタ２３４及び外ブロック片２３５を含む。該フィルタ２３４は、該ブロック片２３３外側に位置し、該外側端口２３１２をマスクし、該外ブロック片２３５は、該中空筒柱２２の外部に連通する端口上に設置される。該外ブロック片２３５は、複数の定位溝２３５１及び少なくとも１つの吸気孔２３５２を設け、該外ブロック片２３５は、該定位溝２３５１を介して該中空筒柱２２の端口上に定位する。外部空気は、該吸気孔２３５２及び該フィルタ２３４を経由して該収容空間２００中に進入し、該ブロック片２３３を押圧し、該外側端口２３１２を離れる。そのうち、該フィルタ２３４が該収容空間２００中に進入する空気を濾過することができ、該外ブロック片２３５の設置は、外部物体が吸入されるか該中空筒柱２２内に進入することを防止することに用いられる。
【００２２】
図３を参照して説明するが、それは、本考案の吸痰セットの使用説明図である。本考案の吸痰セット１は、吸痰管２を挿入接続することに用いる。該吸痰管２は、該接続管本体１０の吸痰コネクタ１１１に接続し、且つ該吸痰管２が負圧発生器（図示せず）を接続する。該気管コネクタ１１２は、人体気管に接続することに用い、該呼吸コネクタ１１３は、酸素供給装置３に接続することに用い、該洗浄コネクタ１１４は、洗浄装置４を接続する。
【００２３】
患者が吸痰を必要とする時、該吸痰管２は、下方（該吸痰コネクタ１１１に接近する方向）の吸痰孔２２２を通過し、更に、順に該貫通孔３００及び上方（該気管コネクタ１１２に接近する方向）の吸痰孔２２３を通過し、最後に該気管コネクタ１１２を到達し、負圧発生器が発生する負圧を利用して患者の口鼻内の痰液を該吸痰管２内に吸引する。
【００２４】
図３及び図４を参照して説明するが、それは、本考案の吸痰セットの洗浄説明図である。吸痰を完成した後、メディカルケアスタッフは、該洗浄装置４を該洗浄コネクタ１１４に接続し、該接続管本体１０内の残余痰液を洗浄する。
【００２５】
洗浄時、先ず該吸痰管２を該気管コネクタ１１２及び該吸痰孔２２２，２２３から離し、離れる過程において、該吸痰管２外壁上の痰液が、痰削ぎ片３０の作用を受けて削がれ、該回転スイッチ２０の中空筒柱２２内に遺留する。
【００２６】
該回転スイッチ２０を約９０度回転させ、該中空筒柱２２の洗浄液出口２２４を該吸痰コネクタ１１１に向ける。該洗浄装置４を該洗浄コネクタ１１４内に流入させ、最後に該洗浄液出口２２４及び該吸痰管２から流出させ、この時、該吸痰管２に接続する負圧発生が動作を持続して負圧を発生し、同時に該中空筒柱２２及び該吸痰管２内の痰液及び洗浄液を吸引する。
【００２７】
注意すべきこととして、該不可逆弁２３は、外部空気を制御し、該接続管本体１０中に進入させることができ、該接続管本体１０内の気体流出を阻止する。該回転スイッチ２０が開放時、外部空気は、該外ブロック片２３５の吸気孔２３５２から進入し、該フィルタ２３４を経て該ブロック片２３３及び該バネ２３２を内向きに押圧し、より多くの外部空気を利用し、該中空筒柱２２内に流入し、これにより該中空筒柱２２内の圧力を平衡させ、該吸痰管２を洗浄する過程において、該酸素供給装置３が出力する酸素の流動方向に影響を及ぼすことを防止し、患者が十分な酸素を受けることができなくなることを回避する。
【００２８】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００２９】
１  吸痰セット
２  吸痰管
３  酸素供給装置
４  洗浄装置
１０  接続管本体
１００  連通空間
１１  コネクタ
１１１  吸痰コネクタ
１１２  気管コネクタ
１１３  呼吸コネクタ
１１４  洗浄コネクタ
１１５  制御弁コネクタ
２０  回転スイッチ
２００  収容空間
２１  回転蓋
２２  中空筒柱
２２１  筒壁
２２２，２２３  吸痰孔
２２４  洗浄液出口
２３  不可逆弁
２３１  定位筒
２３１０  内壁面
２３１１  内側端口
２３１２  外側端口
２３１３  凸縁
２３２  バネ
２３３  ブロック片
２３４  フィルタ
２３５  外ブロック片
２３５１  定位溝
２３５２  吸気孔
３０  痰削ぎ片
３００  貫通孔
【図１】
0003178110.tif 000003
【図２】
0003178110.tif 000004
【図３】
0003178110.tif 000005
【図４】
0003178110.tif 000006